(57)【要約】【課題】本発明は、各信号線毎のインピーダンスが均一であるとともに、ＥＭＩが抑制される信号伝送路、露光装置、および画像形成装置を提供する。【解決手段】電力を供給する複数の電源線と、グランド電位が付与された複数のグランド線と、複数の信号線とからなる複数の配線が、上記複数の信号線それぞれの両側のうちの少なくとも片側に上記電源線が隣接する配列順で配列されたフラットケーブルが、上記電源線と上記信号線とで電流を往復させる回路形式の第１の回路素子に接続されている。【選択図】        図３
2013154506.tif 000002
【特許請求の範囲】
【請求項１】
電力を供給する複数の電源線と、グランド電位が付与された複数のグランド線と、複数の信号線とからなる複数の配線が、前記複数の信号線それぞれの両側のうちの少なくとも片側に前記電源線が隣接する配列順で配列されたフラットケーブルが、前記電源線と前記信号線とで電流を往復させる回路形式の第１の回路素子に接続されていることを特徴とする信号伝送路。
【請求項２】
前記フラットケーブルが接続され前記第１の回路素子に該フラットケーブルを介して電力および信号を送る回路基板を有し、
前記フラットケーブルに接続されている、前記回路基板上の第２の回路素子に達するまでの間、前記電源線のうちの前記信号線に隣接する電源線に接続された、該回路基板上の電源線、および前記信号線に接続された該回路基板上の信号線が、前記フラットケーブル上の配列順と同一の配列順で、配線されていることを特徴とする請求項１記載の信号伝送路。
【請求項３】
前記フラットケーブルが接続され前記第１の回路素子に該フラットケーブルを介して電力および信号を送る、信号層の直近の下層にグランド層が形成された多層の回路基板を有し、
前記フラットケーブルの前記電源線が、コンデンサを介在させて前記回路基板の前記グランド層に接続されていることを特徴とする請求項１記載の信号伝送路。
【請求項４】
電力を供給する複数の電源線と、グランド電位が付与された複数のグランド線と、画像信号を伝送する複数の信号線とからなる複数の配線が配列されたフラットケーブルと、
前記電源線と前記信号線とで電流を往復させる、配列された複数の発光素子を有し、該発光素子から発せられた、画像信号に基づく露光光を像保持体上に照射して該像保持体上に静電潜像を形成する露光ヘッドとを備え、
前記フラットケーブルには、前記複数の配線が、前記複数の信号線それぞれの両側のうちの少なくとも片側に前記電源線が隣接する配列順で配列されていることを特徴とする露光装置。
【請求項５】
表面に静電潜像が形成される像保持体と、
電力を供給する複数の電源線と、グランド電位が付与された複数のグランド線と、画像信号を伝送する複数の信号線とからなる複数の配線が配列されたフラットケーブル、および、前記電源線と前記信号線とで電流を往復させる、配列された複数の発光素子を有し該発光素子から発せられた、画像信号に基づく露光光を前記像保持体上に照射して該像保持体上に静電潜像を形成する露光ヘッドを備えた露光装置と、
前記露光装置により形成された静電潜像をトナーで現像してトナー像を形成する現像装置と、
前記現像装置により形成されたトナー像を所定の記録媒体に転写する転写装置と、
前記転写装置により前記記録媒体に転写されたトナー像を該記録媒体に定着する定着装置とを備え、
前記フラットケーブルには、前記複数の配線が、前記複数の信号線それぞれの両側のうちの少なくとも片側に前記電源線が隣接する配列順で配列されていることを特徴とする画像形成装置。 
【発明の詳細な説明】
【技術分野】
【０００１】
本発明は、信号伝送路、露光装置、および画像形成装置に関する。
【背景技術】
【０００２】
複数枚の重ねられたフレキシブルフラットケーブルにおいて、信号線とグランド線を異なるフレキシブルフラットケーブルに振り分け、信号線の近傍に複数のグランド線を配置した構成を用いることで、ＥＭＩの低減や外来ノイズの抑制を図る技術が提案されている（例えば、特許文献１参照。）。
【０００３】
また、所定の方向に並ぶ複数の伝送線においてグランド線が連続して並ぶグランド線群を含む第１ケーブルと、この第１ケーブルに対向するように配置され、上記所定の方向に複数の伝送線が並ぶ第２ケーブルであって、電圧変化する伝送線が上記グランド線群を包括する領域に対向するように配置される第２ケーブルと、を備えることで、重ねられたケーブル同士に相対的なずれが生じた場合であっても、信号を伝送する伝送線に対してシールド効果を発揮できるようにする技術が提案されている（例えば、特許文献２参照。）。
【０００４】
また、信号線として用いられる導電線のまわりをアース線として用いられる導電線によって取り囲むことにより、その信号線をシールドして、ＥＭＩノイズの発生を防止する技術が提案されている（例えば、特許文献３参照。）。
【０００５】
また、電気ユニット間を接続し信号を伝送可能な、平面状で多極を有する第１のハーネスと、多極を有するとともに、第１のハーネスと平行して配置される第２のハーネスとを有する電子機器において、第１のハーネスのＮ番目のピンにはクリティカルな信号（高速信号や、電気ユニットを初期化させるリセット信号）が配置され、そのクリティカルな信号と隣合うＮ−１番目のピンおよび、Ｎ＋１番目のピンには安定した電位の信号（ＧＮＤや、電源電圧や、スイッチングしないあるいはスイッチング周期が低い信号）が配置されるとともに、前記第１のハーネスのＮ番目のピンと、第２のハーネスにおける物理的に重なり合う関係となるピンには、安定した電位の信号を配置することで、ハーネス内部を信号が伝送する際に生ずるエミッションノイズや外乱ノイズがハーネス内部の信号に誤動作を与えるイミュニティーノイズを防止する技術が提案されている（例えば、特許文献４参照。）。
【先行技術文献】
【特許文献】
【０００６】
【特許文献１】特開２００８−２１０６０５号公報
【特許文献２】特開２００８−２９０３８７号公報
【特許文献３】特開平０９−０１１５８１号公報
【特許文献４】特開２００７−３０７７２４号公報
【発明の概要】
【発明が解決しようとする課題】
【０００７】
本発明は、各信号線毎のインピーダンスが均一であるとともに、ＥＭＩが抑制される信号伝送路、露光装置、および画像形成装置を提供することを目的とする。
【課題を解決するための手段】
【０００８】
請求項１の信号伝送路は、
電力を供給する複数の電源線と、グランド電位が付与された複数のグランド線と、複数の信号線とからなる複数の配線が、上記複数の信号線それぞれの両側のうちの少なくとも片側に上記電源線が隣接する配列順で配列されたフラットケーブルが、上記電源線と上記信号線とで電流を往復させる回路形式の第１の回路素子に接続されていることを特徴とする。
【０００９】
請求項２の信号伝送路は、
上記フラットケーブルが接続され上記第１の回路素子にそのフラットケーブルを介して電力および信号を送る回路基板を有し、
上記フラットケーブルに接続されている、上記回路基板上の第２の回路素子に達するまでの間、上記電源線のうちの上記信号線に隣接する電源線に接続された、その回路基板上の電源線、および上記信号線に接続されたその回路基板上の信号線が、上記フラットケーブル上の配列順と同一の配列順で、配線されていることを特徴とする。
【００１０】
請求項３の信号伝送路は、
上記フラットケーブルが接続され上記第１の回路素子にそのフラットケーブルを介して電力および信号を送る、信号層の直近の下層にグランド層が形成された多層の回路基板を有し、
上記フラットケーブルの上記電源線が、コンデンサを介在させて上記回路基板の上記グランド層に接続されていることを特徴とする。
【００１１】
請求項４の露光装置は、
電力を供給する複数の電源線と、グランド電位が付与された複数のグランド線と、画像信号を伝送する複数の信号線とからなる複数の配線が配列されたフラットケーブルと、
上記電源線と上記信号線とで電流を往復させる、配列された複数の発光素子を有し、この発光素子から発せられた、画像信号に基づく露光光を像保持体上に照射してその像保持体上に静電潜像を形成する露光ヘッドとを備え、
上記フラットケーブルには、上記複数の配線が、上記複数の信号線それぞれの両側のうちの少なくとも片側に上記電源線が隣接する配列順で配列されていることを特徴とする。
【００１２】
請求項５の画像形成装置は、
表面に静電潜像が形成される像保持体と、
電力を供給する複数の電源線と、グランド電位が付与された複数のグランド線と、画像信号を伝送する複数の信号線とからなる複数の配線が配列されたフラットケーブル、および、上記電源線と上記信号線とで電流を往復させる、配列された複数の発光素子を有しこの発光素子から発せられた、画像信号に基づく露光光を上記像保持体上に照射してその像保持体上に静電潜像を形成する露光ヘッドを備えた露光装置と、
上記露光装置により形成された静電潜像をトナーで現像してトナー像を形成する現像装置と、
上記現像装置により形成されたトナー像を所定の記録媒体に転写する転写装置と、
上記転写装置により上記記録媒体に転写されたトナー像をその記録媒体に定着する定着装置とを備え、
上記フラットケーブルには、上記複数の配線が、上記複数の信号線それぞれの両側のうちの少なくとも片側に上記電源線が隣接する配列順で配列されていることを特徴とする。
【発明の効果】
【００１３】
請求項１の信号伝送路によれば、各信号線毎のインピーダンスが均一であるとともに、ＥＭＩが抑制される。
【００１４】
請求項２の信号伝送路によれば、回路基板上の各信号線毎のインピーダンスも均一となる。
【００１５】
請求項３の信号伝送路によれば、ＥＭＩが抑制される。
【００１６】
請求項４の露光装置によれば、各信号線毎のインピーダンスが均一であるとともに、ＥＭＩが抑制される。
【００１７】
請求項５の画像形成装置によれば、各信号線毎のインピーダンスが均一であるとともに、ＥＭＩが抑制される。
【図面の簡単な説明】
【００１８】
【図１】本発明の画像形成装置の第１実施形態を示す概略構成図である。
【図２】図１に示す画像形成装置に備えられているＬＰＨおよびコントローラの概略的な構成を表した図である。
【図３】図２に示すＦＦＣの概略的な構成を表した図である。
【図４】図２，図３に示すコントローラのコネクタとこれに接続されたＦＦＣの配線を表した図である。
【図５】点灯信号線の特性インピーダンス測定結果を示すグラフである。
【図６】コントローラの回路基板を示す概略構成図である。
【図７】図６に示すＣ部の拡大図である。
【図８】第２実施形態の画像形成装置におけるＦＦＣの概略的な構成を表した図である。
【発明を実施するための形態】
【００１９】
以下、図面を参照して本発明の実施の形態を説明する。
【００２０】
図１は、本発明の画像形成装置の第１実施形態を示す概略構成図である。
【００２１】
図１に示す画像形成装置１００は、フルカラータンデム方式を採用した両面出力用のカラープリンタである。なお、この画像形成装置１００は、用紙すなわち紙の記録媒体のみならず、ＯＨＰシートに代表される樹脂の記録媒体にも対応した装置であるが、以下の説明では、特に断らない限り、用紙で記録媒体を代表させて説明しているものとする。
【００２２】
この画像形成装置１００には、図の矢印Ｂｋ方向，矢印Ｂｃ方向，矢印Ｂｍ方向，矢印Ｂｙ方向にそれぞれ回転する、電子写真方式用の積層型の像保持体６１Ｋ，６１Ｃ、６１Ｍ，６１Ｙが備えられている。この像保持体６１Ｋ，６１Ｃ、６１Ｍ，６１Ｙが、本発明にいう像保持体の一例に相当する。また、各像保持体の周囲には、各像保持体に当接して各像保持体の回転に従動回転しながら各像保持体を帯電するロール状の帯電部材６５Ｋ，６５Ｃ，６５Ｍ，６５Ｙ、配列された複数のＬＥＤ（Ｌｉｇｈｔ  Ｅｍｉｔｔｉｎｇ  Ｄｉｏｄｅ：発光ダイオード）の発光によって得られた、画像信号に基づく露光光を、帯電された各像保持体上に照射することにより、ブラック（Ｋ）、シアン（Ｃ）、マゼンタ（Ｍ）、イエロー（Ｙ）の各色について、電位が周囲の電位と異なる静電潜像を形成するＬＰＨ（ＬＥＤ  Ｐｒｉｎｔ  Ｈｅａｄ）７Ｋ，７Ｃ，７Ｍ，７Ｙ、帯電した各色のトナーを静電的に付着させることで各像保持体上の静電潜像を現像してトナー像を形成する現像装置６４Ｋ，６４Ｃ，６４Ｍ，６４Ｙが備えられている。ＬＰＨ７Ｋ，７Ｃ，７Ｍ，７Ｙが、本発明にいう露光ヘッドの一例に相当し、現像装置６４Ｋ，６４Ｃ，６４Ｍ，６４Ｙが、本発明にいう現像装置の一例に相当する。４つの現像装置６４Ｋ，６４Ｃ，６４Ｍ，６４Ｙには、４つのトナーカートリッジ４Ｋ，４Ｃ，４Ｍ，４Ｙから、不図示の機構により各色成分のトナーがそれぞれ補給される。また、この画像形成装置１００には、各像保持体上で形成された各色のトナー像の転写（１次転写）を受けて１次転写像を運搬する中間転写ベルト５、各像保持体上に残留したトナーをクリーニングブレードにより除去するクリーニング装置６３Ｋ，６３Ｃ，６３Ｍ，６３Ｙ、中間転写ベルト５への各色のトナー像の１次転写が行われる１次転写ロール５０Ｋ，５０Ｃ，５０Ｍ，５０Ｙ、中間転写ベルト５上の１次転写像の用紙への２次転写が行われる２次転写ロール対９、用紙上に転写された未定着の２次転写像を用紙に定着させる定着装置１０、ＬＰＨをはじめ、画像形成装置１００内の各部を制御するコントローラ４、用紙を蓄えるトレイ１、画像形成装置１００の設定のためにユーザによる操作を受ける操作盤９１、画像形成装置１００の設定内容や動作内容などを表示する表示画面９０も備えられている。２次転写ロール対９が、本発明にいう転写装置の一例に相当し、定着装置１０が、本発明にいう定着装置の一例に相当する。ここで、中間転写ベルト５は、駆動ロール５ａから駆動力を受けながら２次転写ロール９ｂと駆動ロール５ａとに張架された状態で図の矢印Ａ方向に循環移動する。コントローラ４には、画像形成装置１００の外部から、画像を表す画像データが入力されており、コントローラ４は、画像データを処理し、この画像に対応した静電潜像を各色のＬＰＨが形成するための画像信号に変換して各ＬＰＨに送り、静電潜像を形成させる。
【００２３】
次に、この画像形成装置１００における画像形成の動作について説明する。
【００２４】
４つの像保持体６１Ｋ，６１Ｃ、６１Ｍ，６１Ｙは、帯電部材６５Ｋ，６５Ｃ，６５Ｍ，６５Ｙによりそれぞれ帯電され、さらにＬＰＨ７Ｋ，７Ｃ，７Ｍ，７Ｙから照射される、画像信号に基づくＬＥＤの露光光を受けて各像保持体上に静電潜像が形成される。形成された静電潜像は、現像装置６４Ｋ，６４Ｃ，６４Ｍ，６４Ｙによって各色のトナーを含む各現像剤でそれぞれ現像されて各色のトナー像が形成される。このようにして形成された各色のトナー像は、各色に対応した１次転写ロール５０Ｋ，５０Ｃ，５０Ｍ，５０Ｙにおいて、中間転写ベルト５上に、イエロー（Ｙ）、マゼンタ（Ｍ）、シアン（Ｃ）、ブラック（Ｋ）の順に順次転写（１次転写）されて重ね合わされていき、多色の１次転写像が形成される。そして、この多色の１次転写像は、中間転写ベルト５により２次転写ロール対９まで運搬されていく。一方、このような多色の１次転写像の形成と呼応して、用紙がトレイ１から取り出されて第１搬送ロール対３によって搬送され、さらにレジストロール対８によって用紙の態勢が整えられる。そして、２次転写ロール対９によって、上述の多色の１次転写像が、搬送されてきた用紙に転写（２次転写）され、さらに定着装置１０によって用紙上の２次転写像に定着処理が施される。図１においては、この時の用紙搬送路が、上向きの点線矢印で示す経路として示されている。
【００２５】
用紙の片面だけに画像形成を行う場合は、用紙はこの用紙搬送路を一回だけ通って定着装置１０において２次転写像の定着が行われた後、図の右方向の点線矢印で示すように、第２搬送ロール対１３および送出ロール対８ａを通過してそのまま排紙トレイ２に排出される。
【００２６】
用紙の両面に画像形成を行う場合は、上向きの矢印で示す用紙搬送路を通ることで用紙の片面に２次転写像の転写および定着が行われた後、排紙トレイ２に排出されずに後戻りして第１の両面用搬送ロール対８ｂの間を通り、下向きの点線矢印で示す経路を通って下方に搬送される。そして、第２の両面用搬送ロール対８ｃの間を通った後、第３の両面用搬送ロール対８ｄにおいて上方に転じて再び２次転写ロール対９に向かう。ここで、用紙が最初に２次転写ロール対９で転写を受けてから再び２次転写ロール対９の位置に達するまでの間に、中間転写ベルト５上においては、上述した方式で新たな多色の１次転写像の形成が行われている。そして、用紙が２回目に２次転写ロール対９に達した時に、その新たな多色の１次転写像が、用紙が１回目に２次転写を受けた時とは反対側の面に２次転写される。そして、その反対側の面上の新たな２次転写像に対して定着装置１０により定着処理が施されて、両面に定着像が形成された用紙が排紙トレイ２に排出される。
【００２７】
以上が、この画像形成装置１００における画像形成の動作についての説明である。
【００２８】
次に、この画像形成装置１００に備えられているＬＰＨ７Ｋ，７Ｃ，７Ｍ，７Ｙについて説明する。これら４つのＬＰＨは、いずれも同じ構成を備えており、ここでは、これら各色用のＬＰＨをまとめてＬＰＨ７として説明する。また、４つの像保持体６１Ｋ，６１Ｃ、６１Ｍ，６１Ｙも互いに同じ構成を備えており、以下のＬＰＨ７の説明においては、図１の各色用の像保持体６１Ｋ，６１Ｃ，６１Ｍ，６１Ｙをまとめて像保持体６１として説明する。従って、像保持体６１に対して、ＬＰＨ７が光の照射を行うものとして説明を行う。
【００２９】
図２は、図１に示す画像形成装置に備えられているＬＰＨおよびコントローラの概略的な構成を表した図である。また、図３は、図２に示すＦＦＣの概略的な構成を表した図である。また、図４は、図２，図３に示すコントローラのコネクタとこれに接続されたＦＦＣの配線を表した図である。尚、図３には、グランド線と、一部の電源線および一部の点灯信号線とが示されており、制御信号線およびメモリ制御信号線の図示は省略されている。
【００３０】
ＬＰＨ７は、発光部７２と集光部７１とを備えている。発光部７２は、配列された所定個数のＬＥＤ７２１からなるＬＥＤチップ７２０が２０個連なることで構成されている。ＬＥＤ７２１が、本発明にいう第１の回路素子や発光素子の一例に相当する。集光部７１は、多数の円柱状のセルフォック（登録商標）レンズ７１０を有し、発光部７２により発せられた露光光をセルフォック（登録商標）レンズ７１０を用いて像保持体６１上に集光する。また、ＬＰＨ７には、発光部７２における各ＬＥＤ７２１の発光に関する、例えば個体差に合わせた光量設定やパルス幅設定といったパラメータを記憶しているメモリ７３も備えられている。
このようなＬＰＨ７と後述するフレキシブルフラットケーブル（以下、これをＦＦＣと称する。）４１との組み合わせが、本発明にいう露光装置の一例に相当する。
【００３１】
コントローラ４には、発光部７２を駆動して発光を行わせるための集積回路であるＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）４０が備えられている。そして、ＦＦＣ４１が、ＬＰＨ７のコネクタ７ａおよびコントローラ４のコネクタ４ａにそれぞれ差し込まれてＬＰＨ７およびコントローラ４と接続されることで、ＦＦＣ４１を介して、コントローラ４に備えられたＡＳＩＣ４０から発光部７２における各ＬＥＤ７２１に電力および信号が送られる。ＡＳＩＣ４０が、本発明にいう第２の回路素子の一例に相当する。尚、コントローラ４における配線についての詳細な説明は後述する。
【００３２】
ＬＰＨ７とコントローラ４との間には、電力を供給する１１本の電源線４１１と、グランド電位が付与された４本のグランド線４１２と、２０個のＬＥＤチップ７２０それぞれに対応する、画像（すなわち静電潜像）を表す画像信号を伝送する２０本の点灯信号線４１３と、コントローラ４からの制御信号をＬＰＨに伝送する２本の制御信号線４１４と、ＬＰＨ７に備えられたメモリ７３に記憶されたパラメータを読み出す３本のメモリ読出信号線４１５とからなる４０本の長尺な配線４１０が幅方向に配列されたＦＦＣ４１が接続されている。そして、ＦＦＣ４１には、２０本の点灯信号線４１３それぞれの両側のうちの片側に電源線４１１が隣接する配列順で配列されている。すなわち、隣接する２本の点灯信号線４１３の両側に１本の電源線４１１が隣接する配列順で配列されている。また、ＦＦＣ４１の幅方向に関する一方の縁側には、２本の制御信号線４１４と２本のグランド線４１２が交互に配列されている。また、ＦＦＣ４１の幅方向に関する他方の縁側には、３本のメモリ読出信号線４１５と２本のグランド線４１２が交互に配列されている。このＦＦＣ４１が、本発明にいうフラットケーブルの一例に相当する。また、電源線４１１が、本発明にいう電源線の一例に相当し、グランド線４１２が、本発明にいうグランド線の一例に相当し、点灯信号線４１３が、本発明にいう信号線の一例に相当する。また、このようなＦＦＣ４１とＬＰＨ７との組み合わせが、本発明にいう露光装置の一例に相当する。ＦＦＣ４１は、ＬＰＨ７のコネクタ７ａおよびコントローラ４のコネクタ４ａにそれぞれ差し込まれている。電源線４１１からは、ＬＰＨ７を構成するＬＥＤ７２１に向かって電流が流れ、ＬＥＤ７２１を通過するとともにそのＬＥＤ７２１を発光させた電流は、点灯信号線４１３を通って戻る。すなわち、電源線４１１と点灯信号線４１３とで電流が往復している。
【００３３】
このように、ＦＦＣ４１では、隣接する２本の点灯信号線４１３の両側に１本の電源線４１１が隣接する配列順で配列されているため、ＬＰＨ動作時の、電源線４１１と点灯信号線４１３とで電流を往復させる電流ループが小さく、ＥＭＩが抑制される。また、電源線４１１がこのように配列されているため、電圧降下防止に十分な電源線４１１の本数が確保される。また、グランド線４１２は、制御信号線４１４やメモリ読出信号線４１５からのノイズを抑制するために、制御信号線４１４やメモリ読出信号線４１５に隣接させるだけの本数を確保すればよいため、グランド線４１２を点灯信号線４１３に隣接配置させることでＥＭＩを抑制する従来技術に比して、グランド線４１２の本数を減らすことができ、ＦＦＣ極数が少なくてすむ。
【００３４】
また、ＦＦＣ４１では、どの点灯信号線４１３からみても、点灯信号線４１３の一方の片側に電源線４１１が隣接しており、点灯信号線４１３の他方の片側に点灯信号線４１３が隣接している。そのため、各点灯信号線４１３毎のインピーダンスは均一である。尚、ＦＦＣ４１が板金と部分的に接触していると、その接触部分で、板金のクランドの影響を受けてインピーダンスが低くなりすぎ、接触部分以外の部分とのバラツキが生じるため、ＦＦＣ４１は板金とは接触しないように取り回す。
【００３５】
図５は、点灯信号線の特性インピーダンス測定結果を示すグラフである。このグラフの横軸は時間軸であり、縦軸は特性インピーダンスを表している。
【００３６】
図５に示すグラフは、ＴＤＲ（Ｔｉｍｅ  Ｄｏｍａｉｎ  Ｒｅｆｌｅｃｔｏｍｅｔｒｙ）法による点灯信号線の特性インピーダンス測定結果を示している。すなわち、高速パルス信号を点灯信号線に与え、その反射波をサンプリングオシロスコープで捉えることにより測定された、点灯信号線の特性インピーダンス（Ω）を示している。また、Ｖは電源線を表し、Ｓは点灯信号線を表している。
【００３７】
図５に示す１点鎖線が、隣接する２本の点灯信号線４１３の両側に１本の電源線４１１が隣接する配列順で配列された、第１実施形態のＦＦＣ４１における点灯信号線４１３の特性インピーダンス測定結果である。尚、図５では、この配列をＶＳＳＶと表している。この場合、図５に示すように、点灯信号線４１３の特性インピーダンスは、信号位置に依らず８８Ωで一定である。すなわち、第１実施形態のＦＦＣ４１によれば、各点灯信号線４１３の特性インピーダンスが均一になり、ＥＭＩのバラツキが抑制される。
【００３８】
図５に示す実線および波線は、隣接する４本の点灯信号線の両側に１本の電源線が隣接する配列順で配列された、比較例としてのＦＦＣにおける点灯信号線の特性インピーダンス測定結果である。尚、図５では、この配列をＶＳＳＳＳＶと表している。実線および波線のうちの実線は、この配列における片側が電源線に隣接した点灯信号線の特性インピーダンス測定結果であって、この場合、図５に示すように、点灯信号線の特性インピーダンスは、９５Ωである。また、実線および波線のうちの波線は、この配列における電源線に隣接していない点灯信号線、すなわち両側に点灯信号線が隣接した点灯信号線の特性インピーダンス測定結果であって、この場合、図５に示すように、点灯信号線の特性インピーダンスは、１１８Ωである。このような比較例としてのＦＦＣにおける点灯信号線の特性インピーダンスは、２０Ω以上のバラツキが確認される。このように特性インピーダンスがバラツクと、ＥＭＩのバラツキが生じる。
【００３９】
次に、コントローラ４における配線について説明する。
【００４０】
図６は、コントローラの回路基板を示す概略構成図である。尚、図６では、回路基板を側方から見た状態が示されている。また、図７は、図６に示すＣ部の拡大図である。
【００４１】
コントローラ４（図１〜図３参照）は、４層の回路基板４００を有している。４層の回路基板４００のうちの最上層には、信号線が配線された信号層４１０が形成されている。そして、その信号層４１０に、コネクタ４ａおよびＡＳＩＣ４０が備えられている。また、その信号層４１０の直近の下層には、グランド線が配線されたグランド層４２０が絶縁層４４０を挟んで形成されている。また、そのグランド層４２０の直近の下層には、電源線が配線された電源層４３０が絶縁層４４０を挟んで形成されている。信号層４１０には、さらにコンデンサ４５０が備えられており、ＦＦＣ４１の電源線４１１が、そのコンデンサ４５０を介在させて回路基板４００のグランド層４２０に接続されている。これにより、ＦＦＣ４１の電源線４１１を電源層４３０に接続する場合よりも、電流ループが小さく、ＥＭＩが抑制される。
【００４２】
以上で、本発明の画像形成装置の第１実施形態の説明を終了し、本発明の画像形成装置の第２実施形態について以下説明する。この第２実施形態では、上述したＦＦＣ４１に替えて、電源線の配列が異なるＦＦＣ４２を用いる点と、上述した回路基板４００に替えて、配線が異なる回路基板４５０を用いる点とが上述した第１実施形態とは異なる。
【００４３】
以下、第１実施形態における要素と同じ要素については同じ符号を付し、重複説明は省略して第１実施形態との相違点に着目した説明を行う。
【００４４】
図８は、第２実施形態の画像形成装置におけるＦＦＣの概略的な構成を表した図である。尚、図８には、グランド線と、一部の電源線および一部の点灯信号線とが示されており、制御信号線およびメモリ制御信号線の図示は省略されている。
【００４５】
ＬＰＨ７とコントローラ４との間には、電力を供給する２１本の電源線４２１と、４本のグランド線４１２と、２０本の点灯信号線４１３と、２本の制御信号線４１４と、３本のメモリ読出信号線４１５とからなる５０本の長尺な配線が幅方向に配列されたＦＦＣ４２が接続されている。そして、ＦＦＣ４２には、２０本の点灯信号線４１３それぞれの両側に１本の電源線４２１が隣接する配列順で配列されている。このＦＦＣ４２も、本発明にいうフラットケーブルの一例に相当する。また、電源線４２１も、本発明にいう電源線の一例に相当する。また、このようなＦＦＣ４２とＬＰＨ７との組み合わせも、本発明にいう露光装置の一例に相当する。このようなＦＦＣ４２は、ＬＰＨ７のコネクタ７ａおよびコントローラ４のコネクタ４ａにそれぞれ差し込まれている。そして、電源線４２１と点灯信号線４１３とで電流を往復させる。
【００４６】
このように、ＦＦＣ４２では、２０本の点灯信号線４１３それぞれの両側に１本の電源線４２１が隣接する配列順で配列されているため、ＬＰＨ動作時の、電源線４２１と点灯信号線４１３とで電流を往復させる電流ループが小さく、ＥＭＩが抑制される。また、電源線４２１がこのように配列されているため、電圧降下防止に十分な電源線４２１の本数が確保される。
【００４７】
また、ＦＦＣ４２では、どの点灯信号線４１３からみても、両側に電源線４２１が隣接している。そのため、各点灯信号線４１３毎のインピーダンスは均一である。この場合の、図５を参照して説明した特性インピーダンスは、８８Ωよりも低い特性インピーダンスで一定である。
【００４８】
次に、コントローラ４における配線について説明する。
【００４９】
コントローラ４は、コネクタ４ａおよびＡＳＩＣ４０が備えられた回路基板４５０を有している。そして、ＦＦＣ４２に接続されている、回路基板４５０上のＡＳＩＣ４０に達するまでの間、点灯信号線４１３に隣接する電源線４２１に接続された回路基板４５０上の電源線４５１、および点灯信号線４１３に接続されたその回路基板４５０上の点灯信号線４５３が、ＦＦＣ４２上の配列順と同一の配列順で、配線されている。これにより、回路基板４５０上のどの点灯信号線４５３からみても、両側に電源線４５１が隣接している。そのため、回路基板４５０上の各点灯信号線４５３毎のインピーダンスも均一である。
【００５０】
以上で、本発明の画像形成装置の第２実施形態の説明を終了する。
【符号の説明】
【００５１】
１００    画像形成装置
１    トレイ
２    排紙トレイ
３    第１搬送ロール対
４    コントローラ
４００，４５０    回路基板
４１０    信号層
４０    ＡＳＩＣ
４ａ    コネクタ
４２０    グランド層
４３０    電源層
４４０    絶縁層
４５０    コンデンサ
４１，４２    ＦＦＣ
４１１，４２１，４５１    電源線
４１２    グランド線
４１３，４５３    点灯信号線
４１４    制御信号線
４１５    メモリ読出信号線
５    中間転写ベルト
５ａ    駆動ロール
５０Ｋ，５０Ｃ，５０Ｍ，５０Ｙ    １次転写ロール
６１Ｋ，６１Ｃ、６１Ｍ，６１Ｙ    像保持体
６３Ｋ，６３Ｃ，６３Ｍ，６３Ｙ    クリーニング装置
６４Ｋ，６４Ｃ，６４Ｍ，６４Ｙ    現像装置
４Ｋ，４Ｃ，４Ｍ，４Ｙ    トナーカートリッジ
６５Ｋ，６５Ｃ，６５Ｍ，６５Ｙ    帯電部材
７Ｋ，７Ｃ，７Ｍ，７Ｙ    ＬＰＨ
７ａ    コネクタ
７１    集光部
７１０    セルフォック（登録商標）レンズ
７２    発光部
７２０    ＬＥＤチップ
７２１    ＬＥＤ
７３    メモリ
８    レジストロール対
１３    第２搬送ロール対
８ａ    送出ロール対
８ｂ    第１の両面用搬送ロール対
８ｃ    第２の両面用搬送ロール対
８ｄ    第３の両面用搬送ロール対
９    ２次転写ロール対
９ｂ    ２次転写ロール
１０    定着装置
９１    操作盤
９０    表示画面
【図１】
2013154506.tif 000003
【図２】
2013154506.tif 000004
【図３】
2013154506.tif 000005
【図４】
2013154506.tif 000006
【図５】
2013154506.tif 000007
【図６】
2013154506.tif 000008
【図７】
2013154506.tif 000009
【図８】
2013154506.tif 000010